(57)【要約】    【課題】  角膜の形状、浮腫、水晶体の濁り等があった場合も、正確な眼屈折力測定を可能とし、併せて被検眼眼底に形成される画像を他覚的に観察可能とした眼光学特性測定装置を提供する。    【解決手段】  被検眼１眼底に視標像を投影する為の第１の視標投影光学系４０と、被検眼眼底から反射された前記第１の視標像投影系からの視標像を受光する第１の受光手段３７と、該第１の受光手段からの受光結果に基づき被検眼の眼屈折力を測定する眼屈折力測定部３０と、被検眼眼底に点状の視標像を投影する為の第２の視標投影手段２と、被検眼眼底から反射された前記視標像を受光する第２の受光手段２１と、該第２の受光手段で得られた被検眼屈折度を中心に前後で所定屈折度ピッチで取得した複数の画像に基づき眼屈折力測定を行う様にした眼光学特性測定部１０とを具備する。    【選択図】          図１
2006314668.tif 000002
【特許請求の範囲】
【請求項１】
被検眼眼底に視標像を投影する為の第１の視標投影光学系と、被検眼眼底から反射された前記第１の視標像投影系からの視標像を受光する第１の受光手段と、該第１の受光手段からの受光結果に基づき被検眼の眼屈折力を測定する眼屈折力測定部と、被検眼眼底に点状の視標像を投影する為の第２の視標投影手段と、被検眼眼底から反射された前記視標像を受光する第２の受光手段と、該第２の受光手段で得られた被検眼屈折度を中心に前後で所定屈折度ピッチで取得した複数の画像に基づき眼屈折力測定を行う様にした眼光学特性測定部とを具備することを特徴とする眼光学特性測定装置。
【請求項２】
前記複数の画像の画像中、最小錯乱円画像に基づき球面屈折力を測定する請求項１の眼光学特性測定装置。
【請求項３】
前記複数の画像の画像中、前焦線画像に対応する屈折度と後焦線画像に対応する屈折度との差により円柱屈折度、前焦線画像、後焦線画像の形状により乱視軸角度を測定する請求項１の眼光学特性測定装置。
【請求項４】
前記眼光学特性測定部は、前記第２の受光手段で得られた画像に基づき光強度分布を求め、得られた光強度分布から被検眼眼底に投影される視標像のシミュレーション画像を演算する演算手段を具備する請求項１の眼光学特性測定装置。
【請求項５】
前記演算手段は、シミュレーション画像の所定経線方向での光強度分布特性を検出する請求項４の眼光学特性測定装置。
【発明の詳細な説明】
【技術分野】
【０００１】
本発明は、被検眼の眼屈折度、乱視度数、乱視軸等の眼屈折力及び眼光学特性を測定する眼光学特性測定装置に関するものである。
【背景技術】
【０００２】
従来、眼屈折力測定装置としては、視標像を被検眼眼底上に投影し、被検眼眼底から反射された視標像を光電検出器により受光し、受光像から眼屈折度、乱視度数、乱視軸等の眼屈折力を測定する他覚式の眼屈折力測定装置がある。
【０００３】
斯かる他覚式の眼屈折力測定装置に於いて、眼屈折力（球面屈折力）、乱視度（円柱屈折力）、乱視軸等の乱視を測定する場合は、視標像として真円のリング光束を被検眼眼底上に投影し、光電検出器により受光した視標像の真円度を検出している。例えば、被検眼が乱視の場合は、受光像は楕円となり、楕円の形状（扁平度）から乱視度Ｃが求められ、楕円の傾斜角度（楕円長軸の傾斜角度）から乱視軸角度Ａを測定している。
【０００４】
従来の眼屈折力測定装置に於いては、眼屈折力の測定にリング光束を投影しているので、投影光束、反射光束が角膜の形状、浮腫、水晶体の濁り等の影響を受け、受光像の楕円形状が崩れ、正確な測定ができないという問題があった。
【０００５】
更に、従来の眼屈折力測定装置では、被検眼眼底にどの様な画像が形成されるかについて他覚的に観察することはできなかった。
【０００６】
尚、リング光束を投影して、眼屈折力を測定する眼屈折力測定装置としては、例えば特許文献１に示されるものがある。
【０００７】
【特許文献１】特開平１−１２９８３０号公報
【０００８】
【特許文献２】特開２００２−２０９８５２号公報
【発明の開示】
【発明が解決しようとする課題】
【０００９】
本発明は斯かる実情に鑑み角膜の形状、浮腫、水晶体の濁り等があった場合も、正確な眼屈折力測定を可能とし、併せて被検眼眼底に形成される画像を他覚的に観察可能とした眼光学特性測定装置を提供するものである。
【課題を解決するための手段】
【００１０】
本発明は、被検眼眼底に視標像を投影する為の第１の視標投影光学系と、被検眼眼底から反射された前記第１の視標像投影系からの視標像を受光する第１の受光手段と、該第１の受光手段からの受光結果に基づき被検眼の眼屈折力を測定する眼屈折力測定部と、被検眼眼底に点状の視標像を投影する為の第２の視標投影手段と、被検眼眼底から反射された前記視標像を受光する第２の受光手段と、該第２の受光手段で得られた被検眼屈折度を中心に前後で所定屈折度ピッチで取得した複数の画像に基づき眼屈折力測定を行う様にした眼光学特性測定部とを具備する眼光学特性測定装置に係り、又前記複数の画像の画像中、最小錯乱円画像に基づき球面屈折力を測定する眼光学特性測定装置に係り、又前記複数の画像の画像中、前焦線画像に対応する屈折度と後焦線画像に対応する屈折度との差により円柱屈折度、前焦線画像、後焦線画像の形状により乱視軸角度を測定する眼光学特性測定装置に係り、又前記眼光学特性測定部は、前記第２の受光手段で得られた画像に基づき光強度分布を求め、得られた光強度分布から被検眼眼底に投影される視標像のシミュレーション画像を演算する演算手段を具備する眼光学特性測定装置に係り、更に又前記演算手段は、シミュレーション画像の所定経線方向での光強度分布特性を検出する眼光学特性測定装置に係るものである。
【発明の効果】
【００１１】
本発明によれば、被検眼眼底に視標像を投影する為の第１の視標投影光学系と、被検眼眼底から反射された前記第１の視標像投影系からの視標像を受光する第１の受光手段と、該第１の受光手段からの受光結果に基づき被検眼の眼屈折力を測定する眼屈折力測定部と、被検眼眼底に点状の視標像を投影する為の第２の視標投影手段と、被検眼眼底から反射された前記視標像を受光する第２の受光手段と、該第２の受光手段で得られた被検眼屈折度を中心に前後で所定屈折度ピッチで取得した複数の画像に基づき眼屈折力測定を行う様にした眼光学特性測定部とを具備するので、被検眼の状態に拘らず眼屈折力測定が可能であると共に屈折力測定の測定精度の向上が図れ、又測定結果に検者の個人差が含まれないので測定の信頼性が向上する。
【００１２】
又本発明によれば、前記眼光学特性測定部は、前記第２の受光手段で得られた画像に基づき光強度分布を求め、得られた光強度分布から被検眼眼底に投影される視標像のシミュレーション画像を演算する演算手段を具備するので、被検眼に形成されるであろう画像を他覚的に観察可能となる。
【００１３】
又本発明によれば、前記演算手段は、シミュレーション画像の所定経線方向での光強度分布特性を検出するので、光強度分布特性を基に被検眼の眼光学特性の測定が可能になる等種々の優れた効果を発揮する。
【発明を実施するための最良の形態】
【００１４】
以下、図面を参照しつつ本発明を実施する為の最良の形態を説明する。
【００１５】
先ず、図１に於いて、本発明が実施される眼光学特性測定装置の光学系について説明する。
【００１６】
図中、１０は眼光学特性測定部、３０は眼屈折力測定部を示している。１は被検眼を示し、被検眼１の光軸上にハーフミラー３１が配設され、該ハーフミラー３１により光軸が眼光学特性測定部光軸２４と眼屈折力測定部光軸３８に分離されている。
【００１７】
先ず、前記眼光学特性測定部１０について説明する。
【００１８】
該眼光学特性測定部１０は、投影光学系２、受光光学系３、光源部４を具備し、前記投影光学系２は被検眼１に点状の視標像を投影し、前記受光光学系３は被検眼１眼底から反射して得られる視標像を受光器（光電検出器）２１に導く様になっている。
【００１９】
前記眼光学特性測定部１０は、前記眼光学特性測定部光軸２４上に配設された偏光ビームスプリッタ８を有し、該偏光ビームスプリッタ８によって前記投影光学系２と前記受光光学系３とに分離されている。
【００２０】
前記投影光学系２は、光源５、該光源５から発せられた投影光束を集光するリレーレンズ６、該リレーレンズ６の光軸上に配設されたハーフミラー７、該ハーフミラー７を透過した投影光束を被検眼１に向け第１の偏光方向の直線偏光成分（Ｓ直線偏光）を反射して投影する前記偏光ビームスプリッタ８、該偏光ビームスプリッタ８の投影光軸に該偏光ビームスプリッタ８側から配設されたリレーレンズ９、対物レンズ１１、１／４波長板１３を具備している。
【００２１】
前記投影光学系２の所要位置、例えば前記ハーフミラー７と前記偏光ビームスプリッタ８との間に投影系開口絞り１４が設けられている。更に、前記ハーフミラー７に対向して固視標１５、リレーレンズ１６を有する固視標系１７が配設されている。
【００２２】
前記光源５、前記固視標１５は被検眼１の眼底と共役な位置にあり、後述する様に、前記光源５、前記固視標１５は瞳１８を通して被検眼１眼底に結像される。瞳１８は前記投影系開口絞り１４と共役、或は略共役の位置となっている。前記固視標１５には視力検査用の視標、例えばランドルト環が記されている。ここで、前記光源部４は前記光源５と前記リレーレンズ６とが一体的に構成され、前記光源部４は、後述の合焦レンズ１９と連動して光軸方向に沿って移動可能となっている。
【００２３】
前記受光光学系３は、前記偏光ビームスプリッタ８、該偏光ビームスプリッタ８の投影光軸に配設された前記リレーレンズ９、前記対物レンズ１１、前記１／４波長板１３を前記投影光学系２と共用している。
【００２４】
前記偏光ビームスプリッタ８を透過する反射光軸上には反射光軸に沿って受光系開口絞り２２、移動可能な前記合焦レンズ１９、結像レンズ２０が配設され、該結像レンズ２０は前記光電検出器２１上に反射光束を結像させる。該光電検出器２１と被検眼１の眼底とは共役、又は略共役な位置となっている。
【００２５】
図２は、前記投影系開口絞り１４、前記受光系開口絞り２２を示しており、本実施の形態では前記投影系開口絞り１４と前記受光系開口絞り２２とは同一のものが用いられている。以下、投影系開口絞り１４について説明する。
【００２６】
該投影系開口絞り１４は円板に６つの絞り孔２３ａ，２３ｂ，２３ｃ，２３ｄ，２３ｅ，２３ｆが穿設されたものであり、該絞り孔２３ａ，２３ｂ，２３ｃ，２３ｄ，２３ｅ，２３ｆは同一円周上の６等分した位置に設けられ、孔径は瞳の大きさを考慮してφ１ｍｍ〜φ８ｍｍ程度となっている。例えば、φ１ｍｍ，φ２ｍｍ，φ３ｍｍ，φ４ｍｍ，φ５ｍｍ，φ６ｍｍが選択される。
【００２７】
前記投影系開口絞り１４、前記受光系開口絞り２２は回転可能に設けられ、前記絞り孔２３ａ，２３ｂ，２３ｃ，２３ｄ，２３ｅ，２３ｆの中心が前記投影光学系２の光軸、前記受光光学系３の光軸に合致する様になっている。前記投影系開口絞り１４、前記受光系開口絞り２２は例えばステッピングモータ（図示せず）により６０°ずつ間欠回転されることで前記絞り孔２３ａ，２３ｂ，２３ｃ，２３ｄ，２３ｅ，２３ｆの所要の絞り孔が選択される様になっている。即ち、前記投影系開口絞り１４と前記ステッピングモータ、前記受光系開口絞り２２と前記ステッピングモータはそれぞれ絞り孔選択手段を構成している。又、それぞれのステッピングモータは後述する制御部２８によって独立して制御される。尚、前記投影系開口絞り１４、前記受光系開口絞り２２はサーボモータにより回転する様にしてもよく、或は前記投影系開口絞り１４、前記受光系開口絞り２２をスライド可能に設け、リニアモータ、ステッピングシリンダによって直線的に間欠移動させてもよい。
【００２８】
前記絞り孔２３ａ，２３ｂ，２３ｃ，２３ｄ，２３ｅ，２３ｆの選択は、被検者の瞳径に合わせ選択され、又前記投影系開口絞り１４で選択された絞り孔２３の径と前記受光系開口絞り２２で選択した絞り孔２３の径を変えることで、例えば前記投影系開口絞り１４で選択された絞り孔２３の径に対し、前記受光系開口絞り２２で選択した絞り孔２３の径を大きく設定すると、前記光電検出器２１で得られる画像からＰＴＦ（Ｐｈａｓｅ  Ｔｒａｎｆｅｒ  Ｆｕｎｃｔｉｏｎ）が算出可能である。
【００２９】
前記光電検出器２１はＣＣＤ受光センサ等、受光面が画素の集合であり、受光信号に基づき受光面内での各画素の位置、受光面での像の形状等を検出可能となっている。各画素の位置、形状については、受光面上に座標を設定し、各画素の座標値を算出することで決定される。
【００３０】
前記光電検出器２１からの受光信号は信号処理部２６を介して記憶部２７に記憶される。前記信号処理部２６から前記記憶部２７へのデータの書込みは前記制御部２８によって制御され、該制御部２８は上記した様に、駆動機構の制御を行うと共に眼光学特性演算手段として機能し、シミュレーション画像演算部と、視力演算部とを有し、前記記憶部２７に記憶されたデータを基に所要の演算をし、又演算結果を表示部２９に表示する。又、前記記憶部２７には、測定を実行する為のシーケンスプログラム、前記光電検出器２１、光電検出器３７からの画像信号を処理する画像処理プログラム、前記光電検出器２１からの信号に基づき受光像の状態を判定する受光画像判定プログラム、前記光電検出器２１からの受光信号を基に眼光学特性の演算を行う演算プログラム、更に後述する前記光電検出器３７からの受光信号から眼屈折力、瞳孔径を演算する眼屈折力測定プログラム等が格納されている。
【００３１】
前記眼屈折力測定部３０について説明する。該眼屈折力測定部３０は被検眼１の眼屈折力を測定すると共に前眼部の観察から被検眼１の瞳孔径を測定するものであり、従来の他覚式眼屈折力測定装置と同等の構成を有している。
【００３２】
前記眼屈折力測定部光軸３８上にハーフミラー３４が配設され、該ハーフミラー３４の反射光軸上にリレーレンズ３３、光源３２が配設され、前記ハーフミラー３４の透過光軸上にリレーレンズ３５、結像レンズ３６、前記光電検出器３７が配設されている。
【００３３】
前記光源３２、前記リレーレンズ３３は、屈折度数を求める為の視標像を被検眼１の眼底に投影する屈折度数測定用視標投影光学系４０を構成し、視標の光源３２からの視標像の光束は真円リング形状であり、前記ハーフミラー３４、前記ハーフミラー３１を経て被検眼１の眼底に投影される。
【００３４】
又、前記リレーレンズ３５、前記結像レンズ３６、前記光電検出器３７は、屈折度数測定用受光光学系４１を構成し、該屈折度数測定用受光光学系４１は被検眼１の眼底で反射され、前記ハーフミラー３１、前記ハーフミラー３４を透過した光束を、前記リレーレンズ３５、前記結像レンズ３６により前記光電検出器３７に導く様になっている。
【００３５】
又、該光電検出器３７は被検眼１の前眼部の画像についても撮像可能となっており、眼屈折力測定、或は後述する眼光学特性測定時に前眼部像が得られる様になっている。
【００３６】
前記光電検出器３７で得られた画像の受光信号は、前記信号処理部２６を介して前記制御部２８に入力され、該制御部２８は前記光電検出器３７からの受光信号により眼屈折力を演算し、又画像処理等の所要の手段により被検眼瞳孔径を算出する。演算された眼屈折力、被検眼瞳孔径は前記記憶部２７に記憶される。
【００３７】
前記瞳孔径算出の為の画像処理としては、例えば瞳孔の部分からの受光光束と周囲の虹彩の部分からの受光光束とでは、受光強度が異なるので、瞳孔を横断する線上の光強度分布より瞳孔と虹彩との境界位置が求められ、求められた境界位置より瞳孔径を算出する等である。
【００３８】
算出された被検眼瞳孔径に基づき前記絞り孔２３ａ，２３ｂ，２３ｃ，２３ｄ，２３ｅ，２３ｆの内、最適な絞り孔の選択が行われる。
【００３９】
以下、上記光学系の作用について説明する。
【００４０】
前記固視標１５を注視させた状態で、前記光源３２より視標像を投影し、被検眼１の眼底で反射された視標像を前記光電検出器３７によって受光し、前記制御部２８は前記光電検出器３７からの受光信号に基づき眼屈折力を演算する。又、前眼部の画像が前記光電検出器３７により取得され、前記制御部２８は前眼部の画像から被検眼１の瞳孔径が測定される。
【００４１】
被検眼１に前記固視標１５を注視させた状態で、前記投影光学系２により点状の投影光束を投影する。尚、前記固視標１５に関しては、可視光が用いられ、前記投影光束については赤外光が用いられる。
【００４２】
測定結果に基づき前記制御部２８がステッピングモータ（図示せず）を制御して前記投影系開口絞り１４、前記受光系開口絞り２２を回転させ、前記絞り孔２３ａ，２３ｂ，２３ｃ，２３ｄ，２３ｅ，２３ｆから被検眼瞳孔径に最適な絞り孔を選択する。又、測定した眼屈折力に基づき、前記光源部４、前記合焦レンズ１９の位置を調整し、被検眼１の眼屈折力に対応して、被検眼１眼底からの反射光が前記光電検出器２１に結像される様にする。
【００４３】
前記光源５から発せられた投影光束（赤外光）は、前記リレーレンズ６、前記ハーフミラー７を透過し、透過した投影光束は前記投影系開口絞り１４により光束径が制限され、前記偏光ビームスプリッタ８に至り、該偏光ビームスプリッタ８でＳ直線偏光分が反射され、前記リレーレンズ９を経て前記対物レンズ１１により前記１／４波長板１３を経て被検眼１の眼底に投影され、点像として第１次視標像が結像される。
【００４４】
Ｓ直線偏光が前記１／４波長板１３を透過することで、右円偏光となる。被検眼１の眼底で投影光束が反射され、反射光束は眼底で反射されることで、左円偏光となる。更に、反射光束が前記１／４波長板１３を透過することで、Ｓ直線偏光とは偏光方向が９０°異なるＰ直線偏光となる。
【００４５】
Ｐ直線偏光は、前記対物レンズ１１、前記リレーレンズ９により前記偏光ビームスプリッタ８に導かれる。該偏光ビームスプリッタ８はＳ直線偏光を反射し、Ｐ直線偏光を透過するので、前記反射光束は該偏光ビームスプリッタ８を透過し、前記受光系開口絞り２２により受光光束径が決定される。該受光系開口絞り２２を通過した反射光束は前記合焦レンズ１９、前記結像レンズ２０により前記光電検出器２１上に第２次視標像として結像される。
【００４６】
該光電検出器２１が受光した第２次視標像の光強度分布は被検眼１の眼光学特性を反映しており、前記光電検出器２１の受光状態を検出することで、眼光学特性を測定することができる。
【００４７】
図４を参照して、眼光学特性測定の第１の実施の形態の流れについて説明する。
【００４８】
前記眼屈折力測定部３０により被検者の被検眼１の屈折度（球面度数Ｓ）が予備測定され、又前眼部画像から画像処理により被検眼１の被検眼瞳孔径が演算される。
【００４９】
予備測定された屈折度により、前記光源部４、前記合焦レンズ１９の位置が調整され、更に図示しないステッピングモータが制御され、前記投影系開口絞り１４、前記受光系開口絞り２２が回転され、所定の絞り孔２３が選択される。前記光源部４、前記合焦レンズ１９の調整により、測定する眼屈折力の概略目標値Ｄｔが設定される。
【００５０】
ＳＴＥＰ：０１  概略目標値Ｄｔが設定されると該概略目標値Ｄｔに基づき本測定（ラフ測定）が行われる。概略目標値Ｄｔを中心に所要眼屈折力のピッチ（以下Ｄ0 ピッチ）で、前記光電検出器２１からの所要範囲の受光像が所要枚数撮像される。撮像された画像例を図５に示す。
【００５１】
ＳＴＥＰ：０２  撮像された画像中、例えば図５で示される画像中から、最もピントのよい画像が選択される。画像の選択方法としては、図３に示される様に、画像上に例えばＸＹ座標を設定し、画像のＸｍａｘとＸｍｉｎ及びＹｍａｘとＹｍｉｎを検出し、更に（Ｘｍａｘ−Ｘｍｉｎ）＝ΔＸ、及び（Ｙｍａｘ−Ｙｍｉｎ）＝ΔＹを求める。最もピントが合った状態の画像が最小錯乱円が形成される屈折度（球面度数Ｓ）とすると、ΔＹ／ΔＸ（＝Ｋ）の値が最も１に近く（以下Ｋ１）、更にΔＸ又はΔＹが最小値の状態、図５の例であると、図５（Ｆ）が最もピントが合った状態であると判断される。
【００５２】
ＳＴＥＰ：０３  Ｋ１が得られる屈折度を新たな細密目標値として再設定し、再度本測定（細密測定）が行われる。細密目標位置を含む前後所要枚数の画像を、前記Ｄ0 ピッチより小さいＤ1 ピッチで取得する。画像の取得枚数の設定は、ラフ測定により得られる画像の形状等に基づき演算される。
【００５３】
ＳＴＥＰ：０４  ＳＴＥＰ：０２の場合と同様、撮像画像に於いてピントが合っているかどうかの評価がなされ、Ｄ1 ピッチで取得した画像中、Ｋ１、更にΔＸ又はΔＹが最小値の状態の画像が選択され、Ｋ１、更にΔＸ又はΔＹが最小値の状態の位置がベストフォーカス位置であると判断される。
【００５４】
次に、乱視測定として、前焦線、後焦線の屈折度が測定される。前焦線、後焦線の判断は、例えばΔＸが最小で、而もΔＹ／ΔＸが最大である屈折度が前焦線として、又ΔＹが最小で、而もΔＹ／ΔＸが最小である屈折度が後焦線として測定される。
【００５５】
ＳＴＥＰ：０５  ベストフォーカス位置（最小錯乱円）の屈折度を求めることで、被検眼１の屈折度（球面度数Ｓ）として測定される。又前焦線の画像に対応する屈折度Ｄｆ及び後焦線の画像に対応する屈折度Ｄｂが求められると、乱視度（円柱屈折度Ｃ）は（Ｄｆ−Ｄｂ）によって得られる。
【００５６】
更に又、前焦線、後焦線の画像中の傾きは、乱視軸の傾きを示しており、乱視軸は（Ｘｍａｘ，Ｙｍａｘ）、（Ｘｍｉｎ，Ｙｍｉｎ）の２点を結ぶ直線であり、又前焦線での乱視軸角Ａｘ、後焦線での乱視軸角Ａｙとは、それぞれ前焦線、後焦線の画像からｔａｎ-1（ΔＹ／ΔＸ）を求めることでそれぞれ得られる。而して、撮像画像から、被検眼１の乱視について、Ｓ／Ｃ／Ａが演算される。
【００５７】
上記被検眼１の乱視について、Ｓ／Ｃ／Ａを測定する場合、被検眼１に投影する視標像の光束は点状であるので、反射光束が角膜の形状、浮腫、水晶体の濁り等の影響を殆ど受けることがなく、被検眼１の状態に拘らず、乱視測定が可能であると共に正確な乱視測定が可能となる。
【００５８】
更に本発明では、ＳＴＥＰ：０６〜ＳＴＥＰ：１０に示される様に、画像処理により被検眼１眼底に投影される視標像を他覚的に観察することができる。
【００５９】
ＳＴＥＰ：０６  ベストフォーカス位置の画像が、眼光学特性を演算する為の画像として選択される。
【００６０】
ＳＴＥＰ：０７、ＳＴＥＰ：０８  選択された画像について、ＰＳＦ等眼光学特性が演算され、得られた眼光学特性から被検眼眼底に投影される視標像のシミュレーション画像が演算される。
【００６１】
ＳＴＥＰ：０９  ＳＴＥＰ：０８で演算されたシミュレーション画像について視標ギャップ方向のプロフィールが演算される。
【００６２】
ＳＴＥＰ：１０  更に、Ｄｅｐｒｅｓｓｉｏｎ値、Ｃｏｎｔｒａｓｔ値が演算される。演算されたシミュレーション画像及びＤｅｐｒｅｓｓｉｏｎ値、Ｃｏｎｔｒａｓｔ値は、前記表示部２９に表示される。
【００６３】
ここで、ＳＴＥＰ：０７〜ＳＴＥＰ：１０に於けるＰＳＦ等の眼光学特性、視標ギャップ方向のプロフィール、Ｄｅｐｒｅｓｓｉｏｎ値、Ｃｏｎｔｒａｓｔ値の演算については、本出願人が既に出願した、特開２００２−２０９８５２号公報（特許文献２）に於いて説明されている。
【００６４】
尚、上記第１の実施の形態では、被検眼瞳孔径測定の為の前眼部撮像を前記眼屈折力測定部３０で行ったが、前記投影光学系２、前記受光光学系３により行ってもよい。前記光源部４、前記合焦レンズ１９を設定屈折度の位置とし、この状態で前記光源５を点灯して前眼部を照明し、前記光電検出器２１で前眼部の画像を取得し、取得した画像を画像処理して被検眼１の瞳孔径を演算するものである。
【００６５】
次に、眼光学特性測定の第２の実施の形態の流れについて、図６を参照して説明する。
【００６６】
ＳＴＥＰ：０１  前記眼屈折力測定部３０によりラフ測定を行う。ラフ測定は、眼屈折度（Ｓ）の他に、乱視度（Ｃ）、乱視軸（Ａ）のラフ測定も行う。乱視度（Ｃ）、乱視軸（Ａ）の測定は、投影した真円リングの視標像が眼底で反射された像を前記光電検出器３７により受光し、受光した視標像の形状（即ち楕円形状）から乱視度（Ｃ）、乱視軸（Ａ）を測定する。
【００６７】
ＳＴＥＰ：０２  前記眼屈折力測定部３０によるラフ測定で得られた前記眼屈折度（Ｓ）、乱視度（Ｃ）、乱視軸（Ａ）に基づき、細密測定を実施する場合の細密目標値を決定し、又乱視度（Ｃ）、乱視軸（Ａ）に基づき細密測定する場合の撮像屈折度の範囲を決定する。
【００６８】
ＳＴＥＰ：０３  細密目標値を設定し、細密測定が行われる。細密目標位置を含む前後所要枚数の画像を、前記決定した範囲でＤ1 ピッチで取得する。画像の取得枚数の設定は、ラフ測定により得られる画像の形状等に基づき演算される。
【００６９】
取得した画像に基づき、ＳＴＥＰ：０４〜ＳＴＥＰ：１０により、眼屈折度（Ｓ）、乱視度（Ｃ）、乱視軸（Ａ）が演算され、更に、ＰＳＦ等眼光学特性が演算され、Ｄｅｐｒｅｓｓｉｏｎ値、Ｃｏｎｔｒａｓｔ値が演算される。
【００７０】
尚、ＳＴＥＰ：０４〜ＳＴＥＰ：１０については、図４で示した作用と同様であるので説明を省略する。
【００７１】
本第２の実施の形態では、第１の実施の形態中のラフ測定に於ける画像撮像等の過程が省略できる為、測定に掛る時間が短縮され、被検者の負担が軽減する。
【００７２】
本発明では、被検眼の状態に拘らず、乱視測定が可能であると共に角膜の形状、浮腫、水晶体の濁り等の影響を殆ど受けることがなく、正確な測定が可能である。更に、撮像画像の処理により、眼屈折度、乱視度、乱視軸角度等が測定され、更に被検眼眼底での画像がシミュレーションされるので、検者の測定作業が大幅に簡略化され、効率のよい測定作業を行うことが可能となる。又、検者の個人差による測定誤差が排除され、再現性、信頼性の高い測定結果を得ることができる。
【図面の簡単な説明】
【００７３】
【図１】本発明の実施の形態に於ける光学系を示す概略構成図である。
【図２】本発明の実施の形態で用いられる投影系及び受光系開口絞りの一例を示す図である。
【図３】撮像画像により、眼屈折度、乱視度、乱視軸角度を測定する場合の方法を示す説明図である。
【図４】本発明の第１の実施の形態に於ける眼光学特性測定を示すフローチャートである。
【図５】（Ａ）（Ｂ）（Ｃ）（Ｄ）（Ｅ）（Ｆ）（Ｇ）（Ｈ）（Ｉ）（Ｊ）は本発明の実施の形態に於いて撮像された画像を示す図である。
【図６】本発明の第２の実施の形態に於ける眼光学特性測定を示すフローチャートである。
【符号の説明】
【００７４】
１              被検眼
２              投影光学系
３              受光光学系
４              光源部
５              光源
１４            投影系開口絞り
１５            固視標
１７            固視標系
１９            合焦レンズ
２１            光電検出器
２２            受光系開口絞り
２７            記憶部
２８            制御部
２９            表示部
３０            眼屈折力測定部
３２            光源
３７            光電検出器
４０            屈折度数測定用視標投影光学系
４１            屈折度数測定用受光光学系
【図１】
2006314668.tif 000003
【図２】
2006314668.tif 000004
【図３】
2006314668.tif 000005
【図４】
2006314668.tif 000006
【図５】
2006314668.tif 000007
【図６】
2006314668.tif 000008